(57)【要約】【課題】上下長さを従来型の蝶番と同程度に抑えることで、従来型の蝶番に対して容易に交換可能な対震蝶番を提供する。【解決手段】本発明の対震蝶番１は、扉枠又は扉の一方に固定される第１羽根部材４と、扉枠又は扉の他方に固定される第２羽根部材５と、第１羽根部材４に第２羽根部材５を水平方向回転可能且つ上下動可能に連結する軸部材６と、弾発力によって第１羽根部材４と第２羽根部材５の間に上下方向に隙間Ｘを形成するバネ部材７と、を備え、軸部材６にバネ部材７が収納されていることを特徴とする。【選択図】図２
2013104201.tif 000002
【特許請求の範囲】
【請求項１】
扉枠又は扉の一方に固定される第１羽根部材と、
扉枠又は扉の他方に固定される第２羽根部材と、
前記第１羽根部材に前記第２羽根部材を水平方向回転可能且つ上下動可能に連結する軸部材と、
弾発力によって前記第１羽根部材と前記第２羽根部材の間に上下方向に隙間を形成するバネ部材と、を備え、
前記軸部材に前記バネ部材が収納されていることを特徴とする対震蝶番。
【請求項２】
前記軸部材は、
前記第１羽根部材に固定される筒状の主軸と、
該主軸内に挿入される挿入部と、前記主軸から突出して前記第２羽根部材に当接する突出部と、を有し、前記主軸に上下動可能に装着される可動軸と、を備え、
前記バネ部材は、前記主軸に収納され、前記第１羽根部材と前記可動軸の前記挿入部との間に介装されることを特徴とする請求項１に記載の対震蝶番。
【発明の詳細な説明】
【技術分野】
【０００１】
本発明は、扉枠に扉を取り付けるための蝶番に関し、特に、地震等の災害時に扉を円滑に開閉させるための対震蝶番に関する。
【背景技術】
【０００２】
従来、扉枠に扉を取り付けるための蝶番として、扉枠又は扉の一方に固定される第１羽根部材と、扉枠又は扉の他方に固定される第２羽根部材と、第１羽根部材に対して第２羽根部材を水平方向回転可能に連結する軸部材と、を備えたものが存在する。
【０００３】
また、特許文献１には、上記各構成に加えて、弾発力によって第１羽根部材と第２羽根部材の間に上下方向に隙間を形成するバネ部材（「ばね２０」参照）を備えた所謂「対震蝶番」が開示されている。この従来技術においては、地震等によって第２羽根部材を第１羽根部材に接近させる方向の外力（圧縮力）が対震蝶番に作用した場合に、バネ部材が収縮することで上記した外力を吸収し、各羽根部材の変形を防止して扉の円滑な開閉を維持できるようになっている。
【先行技術文献】
【特許文献】
【０００４】
【特許文献１】特許第４０２８４７８号公報
【発明の概要】
【発明が解決しようとする課題】
【０００５】
しかしながら、特許文献１の対震蝶番においては、軸部材（「軸２６」参照）の上方にバネ部材が同軸上に配置されており、軸部材の長さにバネ部材の長さを加えた長さよりも対震蝶番全体の上下長さを短くすることは、構造上不可能である。そのため、バネ部材を有しない従来型の蝶番よりも上下長さが必然的に長くなってしまう。その結果、例えば、従来型の蝶番が扉の上端や下端に取り付けられているような場合に、この蝶番を対震蝶番に交換しようとしても、対震蝶番の取付に必要な上下長さを確保することができず、対震蝶番への交換ができないといった不都合を生じる。
【０００６】
そこで、本発明は上記の事情を考慮し、上下長さを従来型の蝶番と同程度に抑えることで、従来型の蝶番に対して容易に交換可能な対震蝶番を提供することを目的とする。
【課題を解決するための手段】
【０００７】
本発明に係る対震蝶番は、扉枠又は扉の一方に固定される第１羽根部材と、扉枠又は扉の他方に固定される第２羽根部材と、前記第１羽根部材に前記第２羽根部材を水平方向回転可能且つ上下動可能に連結する軸部材と、弾発力によって前記第１羽根部材と前記第２羽根部材の間に上下方向に隙間を形成するバネ部材と、を備え、前記軸部材に前記バネ部材が収納されていることを特徴とする。
【０００８】
このような構成を採用することにより、軸部材の上方又は下方にバネ部材を同軸上に配置する構成と比較して、対震蝶番全体の上下長さを短くすることができ、対震蝶番全体の上下長さを、バネ部材を有しない従来型の蝶番と同程度に抑えることが可能となる。そのため、たとえ従来型の蝶番が扉の上端や下端に取り付けられているような場合でも、この蝶番を対震蝶番に容易に交換することが可能となる。
【０００９】
また、本発明に係る対震蝶番は、前記軸部材は、前記第１羽根部材に固定される筒状の主軸と、該主軸内に挿入される挿入部と、前記主軸から突出して前記第２羽根部材に当接する突出部と、を有し、前記主軸に上下動可能に装着される可動軸と、を備え、前記バネ部材は、前記主軸に収納され、前記第１羽根部材と前記可動軸の前記挿入部との間に介装されても良い。
【００１０】
このような構成を採用することにより、軸部材にバネ部材を収納する構成を採用しつつ、地震等によって対震蝶番に外力が作用した場合に、バネ部材を確実に作動させて上記した外力を吸収することが可能となる。そのため、各羽根部材の変形を防止し、扉の円滑な開閉を維持することが可能となる。
【発明の効果】
【００１１】
本発明によれば、上下長さを従来型の蝶番と同程度に抑えることで、従来型の蝶番に対して容易に交換可能な対震蝶番を提供することが可能となる。
【図面の簡単な説明】
【００１２】
【図１】本発明の一実施形態に係る対震蝶番によって扉枠に取り付けられた扉の正面図である。
【図２】本発明の一実施形態に係る対震蝶番において、通常使用時の状態を示す断面図である。
【図３】本発明の一実施形態に係る対震蝶番において、地震等の非常時に外力が加わった状態を示す断面図である。
【発明を実施するための形態】
【００１３】
以下、図面に基づき、本発明に係る対震蝶番１の好適な実施形態について説明する。図１は、本発明の一実施形態に係る対震蝶番によって扉枠に取り付けられた扉の正面図である。図２は、本発明の一実施形態に係る対震蝶番において、通常使用時の状態を示す断面図である。図３は、本発明の一実施形態に係る対震蝶番において、地震等の非常時に外力が加わった状態を示す断面図である。
【００１４】
図１に示されるように、対震蝶番１は、矩形枠状の扉枠２とこの扉枠２内に設置される矩形状の扉３の間に設置されている。本実施形態では、扉３の上端と下端に計２個の対震蝶番１が設けられている。
【００１５】
図２に示されるように、対震蝶番１は、その下部に位置する第１羽根部材４と、第１羽根部材４の上方に配置される第２羽根部材５と、第１羽根部材４及び第２羽根部材５の一側（図面上は左側）に配置される軸部材６と、軸部材６に収納されるバネ部材７と、を備えている。
【００１６】
第１羽根部材４は、平板状の第１固定部８と、この第１固定部８の一側（図面上は左側）に一体形成される円筒状の第１筒部１０と、第１筒部１０の下端に固定される第１ギボシ１１と、を備えている。
【００１７】
第１固定部８には、複数の取付孔１２が水平方向に穿設されている。そして、この取付孔１２に挿通されたネジ（図示せず）を扉枠２に締結することにより、第１羽根部材４が扉枠２に固定されている。第１筒部１０には、第１挿入孔１３が上下方向に設けられている。
【００１８】
第１ギボシ１１は、第１筒部１０に溶接されて一体化されている。第１ギボシ１１は、円柱状の小径部１４と、この小径部１４の下方に一体形成される円柱状の大径部１５と、この大径部１５の更に下方に一体形成される円盤状のフランジ部１６と、を備えている。
【００１９】
第１ギボシ１１の小径部１４の外径は、第１筒部１０の第１挿入孔１３の内径よりも小さく設定されている。小径部１４の上端部は、上方に向かってテーパ状に縮径し、円錐台形状を成している。以下、小径部１４の上面１７を、第１ギボシ１１の上面１７と称する。
【００２０】
第１ギボシ１１の大径部１５の外径は、第１筒部１０の第１挿入孔１３の内径と略同一に設定されている。大径部１５は、小径部１４と共に第１挿入孔１３に挿入されており、これにより、第１挿入孔１３の下端が閉止されて第１筒部１０が有底状を成している。
【００２１】
第１ギボシ１１のフランジ部１６の外径は、第１挿入孔１３の内径よりも大きく設定されている。フランジ部１６の上面は、第１筒部１０の下面に当接している。
【００２２】
第２羽根部材５は、平板状の第２固定部１８と、この第２固定部１８の一側（図面上は左側）に一体形成される円筒状の第２筒部２０と、第２筒部２０の上端に固定される第２ギボシ２１と、を備えている。
【００２３】
第２固定部１８には、複数の取付孔２２が水平方向に穿設されている。そして、この取付孔２２に挿通されたネジ（図示せず）を扉３に締結することにより、第２羽根部材５が扉３に固定されている。
【００２４】
第２筒部２０には、第２挿入孔２３が上下方向に設けられている。第２筒部２０の第２挿入孔２３の内径は、第１筒部１０の第１挿入孔１３の内径と略同一である。第２挿入孔２３の上端部には、断面略横向きＶ字状の環状溝２４が設けられている。第２筒部２０の下端には円筒状のカバー２５の上端が固定され、カバー２５の下端は、第１羽根部材４の第１筒部１０まで延びている。なお、カバー２５と第１羽根部材４の第１筒部１０は固定されていない。
【００２５】
第２ギボシ２１は、円柱状の固定片２６と、この固定片２６の上方に一体形成される円盤状のフランジ部２７と、を備えている。
【００２６】
第２ギボシ２１の固定片２６の外径は、第２筒部２０の第２挿入孔２３の内径と略同一に設定されている。固定片２６の外周面の下部には、断面略横向きＶ字状の環状突起２８が設けられている。そして、固定片２６を第２挿入孔２３に挿入し、固定片２６の環状突起２８を第２挿入孔２３の環状溝２４に嵌合させることで、第２ギボシ２１が第２筒部２０に固定されると共に、第２挿入孔２３の上端が閉止されて第２筒部２０が有蓋状を成している。以下、第２ギボシ２１の固定片２６の下面３０を、第２ギボシ２１の下面３０と称する。
【００２７】
第２ギボシ２１のフランジ部２７の外径は、第２筒部２０の第２挿入孔２３の内径よりも大きく設定されている。フランジ部２７の下面は、第２筒部２０の上面に当接している。
【００２８】
軸部材６は、円筒状の主軸３１と、この主軸３１の上部に上下動可能に装着される円柱状の可動軸３２と、によって構成されている。
【００２９】
主軸３１の下部は、第１筒部１０の第１挿入孔１３に挿入された状態で、第１筒部１０に溶接されている。これにより、第１羽根部材４に主軸３１が固定されている。
【００３０】
主軸３１の上部は、第２筒部２０の第２挿入孔２３に挿入されている。換言すると、主軸３１には、第２筒部２０が装着されている。主軸３１と第２筒部２０は互いに固定されていないため、第２羽根部材５が第１羽根部材４に対して水平方向回転可能且つ上下動可能となっている。主軸３１の上端部は、上方に向かってテーパ状に縮径している。
【００３１】
主軸３１には、貫通孔３３が上下方向に設けられている。貫通孔３３の下端部の内径は、第１ギボシ１１の小径部１４の外径と略同一になっている。貫通孔３３の下端部には第１ギボシ１１の小径部１４が挿入されており、これにより、貫通孔３３の下端部が閉止されて主軸３１が有底状を成している。主軸３１の下面は、第１ギボシ１１の大径部１５の上面に当接している。
【００３２】
主軸３１の貫通孔３３の下部には、第１ギボシ１１の上面１７よりも僅かに高い位置に、上方に向かってテーパ状に縮径する第１縮径部３４が設けられ、この第１縮径部３４よりも上側の部分の内径は第１縮径部３４よりも下側の部分の内径よりも小さくなっている。主軸３１の貫通孔３３の下部には、第１縮径部３４よりも僅かに高い位置に、上方に向かってテーパ状に縮径する第２縮径部３５が設けられており、この第２縮径部３５よりも上側の部分の内径は第２縮径部３５よりも下側の部分の内径よりも小さくなっている。主軸３１の貫通孔３３の上部には段差部３６が設けられ、この段差部３６よりも上側の部分の内径は段差部３６よりも下側の部分の内径よりも小さくなっている。
【００３３】
可動軸３２は、主軸３１の貫通孔３３の上部に挿入される挿入部３７と、挿入部３７の上方に設けられて主軸３１から上方に突出する突出部３８と、を有している。
【００３４】
挿入部３７の外径は、段差部３６よりも上側の部分における貫通孔３３の内径と略同一となっている。挿入部３７の下端には、円盤状の鍔部４０が設けられている。鍔部４０の外径は、段差部３６よりも下側の部分における貫通孔３３の内径と略同一となっている。鍔部４０の上面は段差部３６に当接しており、これにより、可動軸３２の上昇が規制されている。突出部３８の上端は、半球状に湾曲して第２ギボシ２１の下面３０に当接している。
【００３５】
バネ部材７は、例えばコイルスプリングによって構成される。バネ部材７の下端は、第１ギボシ１１の上面１７に当接している。バネ部材７の上端は、可動軸３２の挿入部３７に設けられた鍔部４０の下面に当接している。バネ部材７は、その弾発力によって、第１羽根部材４及び主軸３１に対して第２羽根部材５及び可動軸３２を持ち上げており、第１羽根部材４と第２羽根部材５の間には、バネ部材７の弾発力に応じた隙間Ｘが上下方向に形成されている。
【００３６】
上記の如く構成されたものにおいて、例えば地震等によって扉枠２が平行四辺形状に変形した場合には、第１羽根部材４と第２羽根部材５を接近させる方向の外力（圧縮力）が対震蝶番１に作用する。この外力により、第２羽根部材５が第１羽根部材４に対して下降し、第２羽根部材５の第２ギボシ２１の下面３０が可動軸３２の突出部３８の上端を押圧する。これに伴って、図３に示されるように、可動軸３２が主軸３１に対して下降し、第１羽根部材４と可動軸３２が接近して、バネ部材７が収縮する。このバネ部材７の収縮によって上記した外力が吸収され、第１羽根部材４及び第２羽根部材５の変形が防止されて扉３の円滑な開閉が維持される。
【００３７】
本実施形態では、軸部材６の主軸３１にバネ部材７が収納されているため、軸部材６の上方又は下方にバネ部材７を同軸上に配置する構成と比較して、対震蝶番１の全体の上下長さを短くすることができ、対震蝶番１の全体の上下長さを、バネ部材７を有しない従来型の蝶番と同程度に抑えることが可能となる。そのため、たとえ従来型の蝶番が扉の上端や下端に取り付けられているような場合でも、この蝶番を対震蝶番１に容易に交換することが可能となる。
【００３８】
また、主軸３１とこの主軸３１に対して上下動可能な可動軸３２によって軸部材６を構成している。そのため、軸部材６にバネ部材７を収納する構成を採用しつつ、地震等によって対震蝶番１に外力が作用した場合に、バネ部材７を確実に作動させて上記した外力を吸収することが可能となる。
【００３９】
本実施形態では、外力によって第２羽根部材５が第１羽根部材４に対して下降する場合を例に説明を行ったが、外力によって第１羽根部材４が第２羽根部材５に対して上昇する場合や、外力によって第１羽根部材４の上昇と第２羽根部材５の下降とが同時に発生する場合についても、バネ部材７の収縮によって外力が吸収される。
【００４０】
本実施形態では、扉枠２と扉３の間に計２個の対震蝶番１が設けられる場合について説明したが、他の異なる実施形態では、対震蝶番１の数は、１個又は３個以上の複数個であっても良い。
【００４１】
本実施形態では、第１羽根部材４が扉枠２に固定され、第２羽根部材５が扉３に固定される場合について説明したが、他の異なる実施形態では、第１羽根部材４が扉３に固定され、第２羽根部材５が扉枠２に固定されても良い。
【符号の説明】
【００４２】
１  対震蝶番
２  扉枠
３  扉
４  第１羽根部材
５  第２羽根部材
６  軸部材
７  バネ部材
３１  主軸
３２  可動軸
３７  挿入部
３８  突出部
【図１】
2013104201.tif 000003
【図２】
2013104201.tif 000004
【図３】
2013104201.tif 000005